(57)【要約】【課題】  成長の早い幼児でも安全に長期間利用でき、且つ、収納や持ち運びが便利なエアーベッドを提供すること。【解決手段】  本考案のエアーベッド1は、方形状の底面12と、この底面12の４辺から上方に向かって位置する４つの側壁13とを有したベッド本体11と、独立したエアーマット21と、布団セットを有し、ベッド本体11の４つの側壁13は個々に独立した空気封入口16を有して内部に空気を封入可能であり、隣接する側壁13と端部で接続しているものである。【選択図】      図１
0003120738.tif 000002
【実用新案登録請求の範囲】
【請求項１】
方形状の底面と、この底面の４辺から上方に向かって位置する４つの側壁とを有したベッド本体と、
エアーマットとを有し、
前記ベッド本体の４つの側壁は個々に独立した空気封入口を有し、内部に空気を封入可能で個々に空密であり、隣接する側壁と端部で接続していることを特徴とするエアーベッド。
【請求項２】
前記ベッド本体の夫々の側壁は、表面に複数の接着線部を有し、当該接着線部の位置で表面と裏面を接続テープにより接続していることを特徴とする請求項１に記載のエアーベッド。
【請求項３】
前記ベッド本体の４つの側壁の内、３つの側壁の高さは略均一であり、
残る一つの側壁の上部には形象体を有していることを特徴とする請求項１又は請求項２に記載のエアーベッド。
【請求項４】
敷き布団と掛け布団と枕とからなる布団セットを有し、
前記形象体と、前記布団セットは同一のアニメのキャラクターの表示を有していることを特徴とする請求項３に記載のエアーベッド。
【請求項５】
前記ベッド本体は、水密に形成されていることを特徴とする請求項１乃至請求項４のいずれかに記載のエアーベッド。
【請求項６】
前記エアーマットは、前記ベッド本体から独立しており、表面に複数の接着線部を有し、当該接着線部の位置で表面と裏面を接続テープにより接続していることを特徴とする請求項１乃至請求項５のいずれかに記載のエアーベッド。
【考案の詳細な説明】
【技術分野】
【０００１】
本考案は、エアーベッドに関する。
【背景技術】
【０００２】
従来、幼児向けの家庭用ベッドとしては枠が木製のものが多く、幼児が寝返りを打つなどしたときに枠に手をぶつけて痛さで泣き出したり、怪我をするおそれがあった。このような、問題点を解決する方法としてエアーベッドを用いることができる。
【０００３】
例えば、実開昭４７−０３２５１３号公報（特許文献１）では、方形状のエアーマットの周縁に空気を内部に封入して形成された周縁部を有したエアーベッドについて提案されており、この周縁部で幼児等がエアーマットから転落するのを防止することができるようになっている。
【０００４】
又、実公昭４６−２０７９１号公報（特許文献２）では、浮き輪の中心部に網を張った幼児入浴用の浮具について提案がなされている。この考案は、風呂場にこの浮具を浮かべて幼児を網の上に載せると、網から風呂の湯が浸透して幼児を包み込み、浮き輪が付いているため幼児を風呂の湯の水面近傍に保持することができ、幼児が溺れる心配がない。又、この考案では、浮具に幼児用の玩具等の付属品を設置することで幼児が風呂で楽しく過ごせるようにしている。
【０００５】
更に、特開２００１−２５８６８９号公報では、旅行や災害時等でも幼児にストレスを感じさせることがない、携帯用のエアーベッドについて提案されている。この発明では、エアーベッドの底面を斜めに成形しており、頭の重い幼児が横になっても頭が上に来るようになっている。又、寝返り防止用のベルトを備えており、幼児が俯せになって窒息するのを防止できるようになっている。
【特許文献１】実開昭４７−０３２５１３号公報
【特許文献２】実公昭４６−２０７９１号公報
【特許文献３】特開２００１−２５８６８９号公報
【考案の開示】
【考案が解決しようとする課題】
【０００６】
しかしながら上述したような従来技術では、携帯用として用いるものや風呂場で用いるものが殆どであり、家庭用として成長の早い幼児が長い間使用できるものではなかった。
本考案は、上述したような従来技術の問題点に鑑みてなされたものであり、成長の早い幼児でも安全に長期間利用でき、且つ、収納が便利な家庭用のエアーベッドを提供することを目的としている。
【課題を解決するための手段】
【０００７】
請求項１の考案のエアーベッド(1)は、方形状の底面(12)と、この底面(12)の４辺から上方に向かって位置する４つの側壁(13)とを有したベッド本体(11)と、エアーマット(21)とを有し、ベッド本体(11)の４つの側壁(13)は個々に独立した空気封入口(16)を有し、内部に空気を封入可能で個々に空密であり、隣接する側壁(13)と端部で接続していることを特徴とするものである。
本考案によれば、方形状で設置し易く、幼児等が安心して睡眠できるエアーベッド(1)を提供することができる。
【０００８】
又、請求項２の考案は、請求項１に記載のエアーベッド(1)において、ベッド本体(11)の夫々の側壁(13)は、表面に複数の接着線部(14)を有し、当該接着線部(14)の位置で表面と裏面を接続テープ(15)により接続していることを特徴とするものである。
本考案によれば、側壁(13)の幅を略一定に保つことができる。
【０００９】
そして、請求項３の考案は、請求項１又は請求項２に記載のエアーベッド(1)において、ベッド本体(11)の４つの側壁(13)の内、３つの側壁（13）の高さは略均一であり、残る一つの側壁(13)の上部には形象体(17)を形成していることを特徴とするものである。
又、請求項４の考案は、請求項３に記載のエアーベッド(1)において、敷き布団(33)と掛け布団(32)と枕(34)とからなる布団セット(31)を有し、形象体(17)と、布団セット(31)は同一のアニメのキャラクターの表示を有していることを特徴とするものである。
これらの考案によれば、幼児が睡眠中に好きなキャラクターに囲まれるため、楽しく安心して睡眠を取ることができる。
【００１０】
又、請求項５の考案は、請求項１乃至請求項４のいずれかに記載のエアーベッド(1)において、ベッド本体(11)は、水密に形成されていることを特徴とするものである。
本考案によれば、幼児がお漏らしをしたときでも外に漏れ出すことがなく、又、夏にはプールとして使用することもできる。
【００１１】
更に、請求項６の考案は、請求項１乃至請求項５のいずれかに記載のエアーベッド(1)において、エアーマット(21)は、ベッド本体(11)から独立しており、又、表面に複数の接着線部(14)を有し、当該接着線部(14)の位置で表面と裏面を接続テープ(15)により接続していることを特徴とするものである。
本考案によれば、エアーマット(21)を独立して使用することができる。
【考案の効果】
【００１２】
本考案によれば、成長の早い幼児でも安全に長期間利用でき、且つ、収納が便利な家庭用のエアーベッドを提供することができる。
【考案を実施するための最良の形態】
【００１３】
本考案のエアーベッド1は、ベッド本体11と、エアーマット21と、掛け布団32と敷き布団33と枕34からなる布団セット31とを備える。
ベッド本体11は、方形状の底面12と、この底面の４辺から上方に向かって位置する４つの側壁13とを有している。そして、ベッド本体11の４つの側壁13は個々に独立した空気封入口16を有して内部に空気を封入可能であり、隣接する側壁13とは端部で接続して水密に成形されている。又、側壁13の表面に複数の接着線部14を有し、当該接着線部14の位置で表面と裏面を接続テープ15により接続することで内部を複数の部屋に分断すると共に、接続テープ15の長手方向の端部に空気通用口を形成している。そして、ベッド本体11の４つの側壁13の内、３つの側壁13の高さは略均一であり、残る一つの側壁には形象体17を有している。
【００１４】
又、エアーマット21は、内部に空気が封入されており、表面に複数の接着線部14を有し、当該接着線部14の位置で表面と裏面を接続テープ15により接続しており、ベッド本体11から独立しているものである。そして、布団セット31と形象体17は同一のキャラクター物で統一されている。
本最良の実施の形態によれば、成長の早い幼児でも安全に長期間利用でき、且つ、収納が便利な家庭用エアーベッドを提供することができる。
【実施例１】
【００１５】
本考案のエアーベッド1は、図１〜図３に示すように、ベッド本体11と、エアーマット21と、掛け布団32と敷き布団33と枕34からなる布団セット31とを有している。
【００１６】
ベッド本体11は略箱形形状であり、方形状の底面12とこの底面12の４辺から上方に向かって位置する４つの側壁13とを有している。そして、このベッド本体11は、丈夫で空密性のビニール等の樹脂から成形されており、この樹脂を前面と裏面との２つに重ね合わせて端部を空密に接続して内部に空気を封入可能になっており、この側壁の内部に空気を封入することでベッド本体11の形状が立体的になるものである。尚、側壁13は内部に空気が封入されているが、底面は空気が封入されておらず丈夫で薄いシートが４つの側壁13の底部を接続した形状となっている。又、ベッド本体11は水密に成形されている。
【００１７】
又、４つの側壁13は、個々に独立した空気封入口16を有し、夫々が独立して空密となっており、隣接する側壁13と端部で接続している。この４つの側壁13のうち、３つの側壁13は略同一の高さとなっており、残りの１つの側壁13である幼児等が利用するときに丁度頭の近傍に位置することになる側壁13には、幼児に人気のあるアニメのキャラクターの形象体17が上部に成形されている。そして、この形象体17も空気封入口16から空気を封入することで立体的に完成されるものである。尚、形象体17はキャラクターに限ったものではなく、動物やロボット等の種々の立体形状とすることもできる。
【００１８】
又、側壁13の表面には複数の接着線部14を有し、側壁13の前面と裏面をこの接着線部14の位置で接続テープ15により接続して内部を複数の部屋に分断しており、接続テープ15の長手方向の長さを側壁13の対応する長さより短く成形することで接続テープ15の長手方向の両端部近傍に空気通用口を形成し、空気封入口16から封入された空気が側壁13の全面に行き渡るようにしている。このように接着線部14を設けるのは、接着線部14を設けずに成形した場合には空気を封入すると全体が丸く膨張してしまい側壁13の高さを高くしようとすると幅も大きくなってしまうが、接着線部14で前面と裏面を接続することにより接着線部14の近傍は空気を封入しても一定以上の幅には膨張せず、全体が丸くなってしまうことを防ぐことができ、平面に近い形状とすることができる。
【００１９】
そして、ベッド本体11の大きさは子供用の敷き布団のサイズである７０ｃｍ×１２０ｃｍが余裕を持って収納できる大きさとしており、乳児の時だけでなく成長しても継続して使用できる。尚、当然このサイズに特に限定されるものではない。又、ベッド本体11の形象体17を有する側壁13には４本の接着線部14が成形されて５つの部屋となっており、その他の側壁13は２本の接着線部14が成形されて３つの部屋となっている。尚、この接着線部14の数は限定されるものではない。
【００２０】
又、エアーマット21は、上述したベッド本体の内部に載置できる大きさに成形されており、ベッド本体の側壁13と同様に表面に複数の接着線部14を有し、エアーマット21の前面と裏面をこの接着線部14の位置で接続テープ15により接続して内部を複数の部屋に分断し、接続テープ15の長手方向の長さをエアーマット21の対応する長さより短く成形することで接続テープ15の長手方向の両端部近傍に空気通用口を形成し、空気封入口16から封入された空気が側壁13の全面に行き渡るようにしている。そして、空気封入口16より前面と裏面との間に空気を封入し、膨らませて使用するものである。尚、本実施例のエアーマット21では１１本の接着線部14が成形されることで１２の部屋に分断しているが、この接着線部14の数は限定されるものではない。
【００２１】
又、布団セット31はベッド本体の内部に収納できる大きさとなっており、ベッド本体11に成形されている形象体17のキャラクターと同一のキャラクター物の模様を付したものとしている。尚、ベッド本体11の底面12が方形状となっているため、市販の幼児用の布団等をそのまま使用することもでき、キャラクター物に限定するものではない。
【００２２】
そして、本考案のエアーベッド1は、使用時に空気封入口16より空気を封入して、ベッド本体11とエアーマット21を完成させ、図３に示すように、完成したベッド本体11の底面上にエアーマット21を敷設し、エアーマット21の上に掛け布団32、敷き布団33、枕34等の布団セット31を敷設することで利用するものである。又、使用しないときには空気封入口16より空気を放出してから折り畳んで収納したり、或いは持ち運んだりすることができる。
【００２３】
本実施例によれば、ベッド本体11の側壁13を空気を内部に封入したビニール等の樹脂で成形しているため、幼児が睡眠中に側壁に接しても痛くなく安全であり、又箱形となっているため布団から落ちる心配もなくなり、布団がズレ落ちて朝には何も被っていないといった状態も防ぐことができる。又、略方形状なため部屋の隅等に設置しやすい。
【００２４】
更に、内部に空気を封入することでベッド本体11の形状が形成されるものであるため、使用しないときは内部の空気を空気封入口16より放出することでコンパクトに折り畳むことができ、収納するのに便利なものとなっている。
【００２５】
又、ベッド本体11の形象体17と布団に描かれたものを幼児に人気のアニメのキャラクターで統一させていることにより幼児がキャラクターを身近に感じつつ、楽しく安心して睡眠をとれるようになる。又、エアーベッド21がベッド本体11から独立しているため、エアーベッド21だけを使用することもできる。
【００２６】
更に、ベッド本体11は水密に成形されているので、中で幼児がお漏らしをしたとき等でも外に漏れ出すこともなく、ビニール等の樹脂で成形されているので簡単に洗浄することができる。又、中に水を注入すれば夏場は子供用プールとして用いることもできる。
【００２７】
又、７０ｃｍ×１２０ｃｍの布団が十分収納できる大きさとしているので、幼児が成長しても利用することができ、エアーマット21を有しているので寝心地がよく快適な睡眠を提供することもできる。
【図面の簡単な説明】
【００２８】
【図１】本考案のエアーベッドの斜視図。
【図２】本考案のエアーベッドの断面図。
【図３】本考案のエアーベッドの分解斜視図。
【符号の説明】
【００２９】
1  エアーベッド                  11  ベッド本体
12  底面                         13  側面
14  接着線部                     15  接続テープ
16  空気封入口                   17  形象体
21  エアーマット                 31  布団セット
32  掛け布団                     33  敷き布団
34  枕
【図１】
0003120738.tif 000003
【図２】
0003120738.tif 000004
【図３】
0003120738.tif 000005